(57)【特許請求の範囲】
【請求項１】
光束を発する発光点を複数備えた発光部と、該発光部に給電するためのリード部とを含有する光源と、
前記光束を反射して偏向走査させる偏向体と、
前記偏向走査された前記光束を被走査面上に結像させる結像光学系と、
少なくとも前記偏向体及び前記結像光学系を収容するハウジングと、
前記偏向走査された前記光束を受光して、当該受光を示す検出信号を出力する同期センサーと、
前記光源と前記同期センサーとが搭載される回路基板と、
前記発光部を、その光軸回りに回転させることで、前記複数の発光点から各々発せられた光束の前記被走査面上における間隔を調整可能とする調整手段と、を備え、
前記発光部は前記リード部によって前記回路基板上に所定の高さで立設されており、
前記調整手段は、前記発光部を固定的に保持する保持部材と、前記間隔が調整された状態で前記保持部材を前記ハウジングの第１位置に固定するための第１固定手段と、前記保持部材の固定の後に前記回路基板を前記ハウジングの第２位置に固定するための第２固定手段とを含み、
前記回路基板と前記保持部材とは、所定間隔を置いて前記リード部によって連結され、
前記リード部は、前記第２固定手段による前記固定の際に、前記間隔の調整に伴う前記発光部の前記光軸回りに回転に応じて捻られる、光走査装置。
【請求項２】
請求項１に記載の光走査装置において、
前記保持部材は、前記発光部が圧入されるホルダー部を備えたブラケットであり、
前記第１固定手段が、前記ブラケットに設けられた複数の第１ビス孔と、該第１ビス孔を通して前記ブラケットを前記ハウジングの前記第１位置に取り付ける複数の第１ビスとを含む、光走査装置。
【請求項３】
請求項２に記載の光走査装置において、
前記回路基板は前記ブラケット上に重なる態様で配置されており、
前記回路基板には、前記回路基板と前記ブラケットとが重なる方向で見て前記第１ビス孔を露呈させる切り欠き部が備えられている、光走査装置。
【請求項４】
請求項１〜３のいずれかに記載の光走査装置において、
前記第２固定手段が、前記回路基板に設けられた複数の第２ビス孔と、該第２ビス孔を通して前記回路基板を前記ハウジングの前記第２位置に取り付ける複数の第２ビスとを含み、
前記第２ビス孔の少なくとも１つが、前記同期センサーの搭載位置の近傍に配置されている、光走査装置。
【請求項５】
請求項１〜４のいずれかに記載の光走査装置と、
前記被走査面となる静電潜像の担持面を備えた像担持体と、
を備えた画像形成装置。
【発明の詳細な説明】
【技術分野】
【０００１】
本発明は、マルチビーム方式の光源を用いた光走査装置、及びこれを用いた画像形成装置に関する。
【背景技術】
【０００２】
レーザープリンターや複写機等には、感光体ドラムの周面（被走査面）をレーザー光で走査露光して前記周面に静電潜像を形成する光走査装置が備えられている。光走査装置には、感光体ドラムへの書き込み開始タイミングの同期を取るために、前記レーザー光の一部が入射されるＢＤ（Beam Detect）センサーが具備されている。通常、前記レーザー光を発するレーザー光源は、ＡＰＣ（Auto Power Control）回路がマウントされた回路基板（ＡＰＣ基板）に搭載され、前記ＢＤセンサーは、前記ＡＰＣ基板とは別の回路基板に搭載されている。
【０００３】
特許文献１には、シングルビーム方式の光走査装置において、レーザー光源とＢＤセンサーとを同一の回路基板に搭載した光走査装置が開示されている。この装置によれば、回路基板の使用数を減少させることができると共に、両者の駆動回路の共有化も図ることができる。
【０００４】
また、特許文献２には、マルチビーム方式の光走査装置において、マルチビームレーザー光源とＢＤセンサとを同一の回路基板に搭載した光走査装置が開示されている。マルチビーム方式においては、画像の設定解像度（ｄｐｉ）に応じて、感光体ドラム上の副走査方向のビームピッチを調整する必要がある。この調整は、レーザー光源を光軸回りに微小に回転させることによって行われる。しかし、レーザー光源とＢＤセンサーとが同一の回路基板に搭載されている場合、前記光軸回りの回転に伴いＢＤセンサーの位置が変わり、ＢＤセンサーの受光面にレーザー光が入射しなくなる問題が生じる。特許文献２の装置では、ＢＤセンサへ向かう検知用光束のスポットを副走査方向に長いスポットに変換する光学素子（アナモルフィックレンズ）を用い、前記回転によってＢＤセンサの位置がシフトしても、前記検知用光束をＢＤセンサが検知できるようにしている。
【先行技術文献】
【特許文献】
【０００５】
【特許文献１】特開平２−１１８６１２号公報
【特許文献２】特開２００２−１８９１８０号公報
【発明の概要】
【発明が解決しようとする課題】
【０００６】
しかし、上記特許文献２の手法によれば、ＢＤセンサーへ入射させる検知用レーザー光を成形するための特殊な光学素子を別個に必要とする。このことは、部品点数の増加、コストアップを招来する。
【０００７】
本発明は、上記の事情に鑑みてなされたものであり、マルチビーム方式の光走査装置において、光源と、書き込みタイミングの同期を取るためのセンサーとを同一の回路基板に搭載した構成を採用しつつ、特殊な光学素子を必要としない光走査装置、及びこれを用いた画像形成装置を提供することを目的とする。
【課題を解決するための手段】
【０００８】
本発明の一の局面に係る光走査装置は、光束を発する発光点を複数備えた発光部と、該発光部に給電するためのリード部とを含有する光源と、前記光束を反射して偏向走査させる偏向体と、前記偏向走査された前記光束を被走査面上に結像させる結像光学系と、少なくとも前記偏向体及び前記結像光学系を収容するハウジングと、前記偏向走査された前記光束を受光して、当該受光を示す検出信号を出力する同期センサーと、前記光源と前記同期センサーとが搭載される回路基板と、前記発光部を、その光軸回りに回転させることで、前記複数の発光点から各々発せられた光束の前記被走査面上における間隔を調整可能とする調整手段と、を備え、前記発光部は前記リード部によって前記回路基板上に所定の高さで立設されており、前記調整手段は、前記発光部を固定的に保持する保持部材と、前記間隔が調整された状態で前記保持部材を前記ハウジングの第１位置に固定するための第１固定手段と、前記保持部材の固定の後に前記回路基板を前記ハウジングの第２位置に固定するための第２固定手段とを含み、前記回路基板と前記保持部材とは、所定間隔を置いて前記リード部によって連結され、前記リード部は、前記第２固定手段による前記固定の際に、前記間隔の調整に伴う前記発光部の前記光軸回りに回転に応じて捻られる。
【０００９】
この構成によれば、光源の発光部を固定的に保持する保持部材は第１固定手段によりハウジングの第１位置に固定され、回路基板は第２固定手段によってハウジングの第２位置に固定される。つまり、基板と発光部はハウジングの異なる位置に別々に固定される。このため、前記保持部材と共に発光部が光軸回りに回転されたとしても、その回転はリード部の捻りによって吸収され得る。従って、前記間隔の調整が行われ、前記第１固定手段により前記保持部材のハウジングへの固定が行われた後に、前記同期センサーと入射光束との位置合わせを行って回路基板をハウジングの第２位置に固定させることが可能となる。
【００１０】
上記構成において、前記保持部材は、前記発光部が圧入されるホルダー部を備えたブラケットであり、前記第１固定手段が、前記ブラケットに設けられた複数の第１ビス孔と、該第１ビス孔を通して前記ブラケットを前記ハウジングの前記第１位置に取り付ける複数の第１ビスとを含むことが望ましい。
【００１１】
この構成によれば、第１固定手段が、ブラケットに設けられた複数の第１ビス孔と、これに挿通される第１ビスとで構成されるので、前記ブラケットを前記間隔の調整のために回動させた後に第１ビスを締結するという簡易な調整手法を実現させることができる。従って、調整手段による前記間隔の調整における、前記発光部の光軸回りの回転操作を、容易に行わせることができる。
【００１２】
この場合、前記回路基板は前記ブラケット上に重なる態様で配置されており、前記回路基板には、前記回路基板と前記ブラケットとが重なる方向で見て前記第１ビス孔を露呈させる切り欠き部が備えられていることが望ましい。
【００１３】
この構成によれば、前記ブラケットに設けられた第１ビス孔が、前記回路基板の切り欠き部を通して露呈するので、前記間隔の調整を行うユーザーの作業性を向上させることができる。
【００１４】
上記構成において、前記第２固定手段が、前記回路基板に設けられた複数の第２ビス孔と、該第２ビス孔を通して前記回路基板を前記ハウジングの前記第２位置に取り付ける複数の第２ビスとを含み、前記第２ビス孔の少なくとも１つが、前記同期センサーの搭載位置の近傍に配置されていることが望ましい。
【００１５】
この構成によれば、前記同期センサーの搭載位置の近傍が第２ビスによる固定位置とされるので、例えば偏向体の駆動によって生じる振動等の影響が同期センサーに及び難くすることができる。
【００１６】
本発明の他の局面に係る画像形成装置は、上記に記載の光走査装置と、前記被走査面となる静電潜像の担持面を備えた像担持体と、を備える。
【発明の効果】
【００１７】
本発明によれば、光源と、書き込みタイミングの同期を取るための同期センサーとを同一の回路基板に搭載した構成を採用しつつ、特殊な光学素子を必要とすることなく、発光部の光軸回りの調整及び同期センサーへの検知光束の入射の双方を確保することができる。従って、光走査装置及びこれが備えられた画像形成装置の部品点数の減少、コストダウンを図ることが出来る。
【図面の簡単な説明】
【００１８】
【図１】本発明の一実施形態に係る画像形成装置の内部構成を示す断面図である。
【図２】光走査装置の内部構成を模式的に示す斜視図である。
【図３】マルチビーム方式による感光体ドラムの露光態様を説明するための模式的な斜視図である。
【図４】マルチビームレーザー光源の発光部を示す斜視図である。
【図５】ブラケット及び回路基板の正面視の平面図である。
【図６】ブラケット及び回路基板の背面視の平面図である。
【図７】回路基板へのブラケット及びＢＤセンサーの取り付け状態を示す斜視図である。
【図８】光走査装置のハウジングと、そのハウジングに搭載されたブラケット及び回路基板を示す斜視図である。
【発明を実施するための形態】
【００１９】
以下、本発明の一実施形態に係る光走査装置について図面に基づいて説明する。図１は、本発明の一実施形態に係る光走査装置１１が搭載された画像形成装置１の構成を概略的に示した断面図である。本実施形態においては、画像形成装置としてプリンターを例示するが、本発明は、複写機、ファクシミリ、各種機能を備えた複合機にも適用可能である。画像形成装置１は、光走査装置１１、現像器１２、帯電器１３、感光体ドラム１４（像担持体）、転写ローラー１５、定着器１６及び給紙カセット１７を備える。
【００２０】
感光体ドラム１４は、円筒状の部材であり、その周面に静電潜像及びトナー像が形成される。感光体ドラム１４は、図略のモーターからの駆動力を受けて、図１における時計回りの方向に回転される。帯電器１３は、感光体ドラム１４の表面を略一様に帯電する。
【００２１】
光走査装置１１は、マルチビーム方式の光走査装置であって、マルチビームレーザー光源、偏向体、走査レンズ及び光学素子等の結像光学系を備え、帯電器１３によって略一様に帯電された感光体ドラム１４の周面（被走査面）に対して、画像データに応じたレーザー光を照射して、画像データの静電潜像を形成する。この光走査装置１１については、後記で詳述する。
【００２２】
現像器１２は、静電潜像が形成された感光体ドラム１４の周面にトナーを供給してトナー像を形成する。現像器１２は、トナーを担持する現像ローラーやトナーを攪拌搬送するスクリューを含む。感光体ドラム１４に形成されたトナー像は、給紙カセット１７から繰り出され搬送路Ｐを搬送される記録紙に転写される。この現像器１２には、図略のトナーコンテナからトナーが補給される。
【００２３】
感光体ドラム１４の下方には転写ローラー１５が対向して配設され、両者によって転写ニップ部が形成されている。転写ローラー１５は、導電性を有するゴム材料等で構成されると共に転写バイアスが与えられ、感光体ドラム１４に形成されたトナー像を前記記録紙に転写させる。
【００２４】
定着器１６は、ヒーターを内蔵する定着ローラー１６０及び定着ローラー１６０と対向する位置に設けられた加圧ローラー１６１を備え、トナー像が形成された記録紙を加熱搬送することにより、記録紙に形成されたトナー像を定着させる。
【００２５】
次に、画像形成装置１の画像形成動作について簡単に説明する。先ず、帯電器１３により感光体ドラム１４の表面が略均一に帯電される。帯電された感光体ドラム１４の周面が、光走査装置１１により露光され、記録紙に形成する画像の静電潜像が感光体ドラム１４の表面に形成される。この静電潜像が、現像器１２から感光体ドラム１４の周面にトナーが供給されることにより、トナー像として顕在化される。一方、給紙カセット１７からは記録紙が搬送路Ｐに繰り出される。前記トナー像は、転写ローラー１５と感光体ドラム１４との間のニップ部を記録紙が通過することにより、当該記録紙に転写される。この転写動作が行われた後、記録紙は定着器１６に搬送され、記録紙にトナー像が固着される。
【００２６】
図２は、光走査装置１１の内部構成を模式的に示す斜視図である。光走査装置１１は、ハウジング２０と、該ハウジング２０内に収容されるレーザー光源３０（光源）、レーザー光源３０が発する光束を反射して偏向走査させる偏向体４０、前記偏向走査された光束を感光体ドラム１４の周面に結像させる結像光学系、及び第１、第２ＢＤ（Beam Detect）センサー６Ａ、６Ｂ（同期センサー）を含む。結像光学系は、コリメータレンズ５１、シリンドリカルレンズ５２、第１走査レンズ５３、第２走査レンズ５４、ミラー５５及び第１、第２集光レンズ５６Ａ、５６Ｂを含む。
【００２７】
レーザー光源３０は、複数の発光点を備えマルチビームレーザーを発する発光部３０Ａと、該発光部３０Ａに給電するためのリード部３５とを含む。図３は、マルチビーム方式による感光体ドラム１４の露光態様を説明するための模式的な斜視図、図４は、発光部３０Ａを示す斜視図である。発光部３０Ａは、円柱状のプラグ部材を備え、その先端面Ｆに一定間隔で１列に配列された４個のレーザーダイオード（ＬＤ）３１、３２、３３、３４（発光点）が配置されてなる、モノリシックマルチレーザーダイオードである。４個のＬＤ３１〜ＬＤ３４は、主走査方向及び副走査方向のそれぞれに対して傾斜角度を有するライン上に配列されている。なお、本実施形態では、４個のＬＤを備えたモノリシックマルチレーザーダイオードを例に説明するが、同一チップ上にＬＤが２個以上配置されているモノリシックマルチレーザーダイオードであればよい。
【００２８】
コリメータレンズ５１は、レーザー光源３０から発せられ拡散する光束を平行光に変換するレンズである。シリンドリカルレンズ５２は、前記平行光の光束を主走査方向に長い線状光に変換して偏向体４０（ポリゴンミラー４１）に結像させるレンズである。
【００２９】
偏向体４０は、シリンドリカルレンズ５により結像された光束を反射して偏向走査するもので、ポリゴンミラー４１及びポリゴンモーター４２を含む。ポリゴンミラー４１は図中矢印Ｒの方向に所定速度で回転し、感光体ドラム１４の長手方向（主走査方向）に光ビームが走査されるように、光束を偏向する。ポリゴンモーター４２は、ポリゴンミラー４１を所定速度で回転させる回転力を発生する。ポリゴンモーター４２の回転軸４３にポリゴンミラー４１が連結され、ポリゴンミラー４１は回転軸４３の軸回りに回転する。なお、偏向体４０として、ＭＥＭＳ（Micro Electro Mechanical Systems）ミラーを用いるようにしても良い。
【００３０】
第１走査レンズ５３及び第２走査レンズ５４は、ｆθ特性を有するレンズであって、特殊トーリック面からなるレンズ面（回転非対称の屈折面）を備えたレンズである。これら走査レンズ５３、５４は、ポリゴンミラー４１から感光体ドラム１４の周面に向かう光軸上で互いに対向して配置されている。第１、第２走査レンズ５３、５４は、ポリゴンミラー４１によって反射された偏向光束を集光し、感光体ドラム１４の周面に結像させる。
【００３１】
ミラー５５は、第１走査レンズ５３及び第２走査レンズ５４から出力された偏向光束を、ハウジング２０に設けられた図略の開口部に向けて反射させ、感光体ドラム１４に照射させる。第１集光レンズ５６Ａ及び第２集光レンズ５６Ｂは、ポリゴンミラー４１による感光体ドラム１４の周面の有効走査領域の範囲外の光路上に設置され、それぞれ前記偏向光束を第１ＢＤセンサー６Ａ及び第２ＢＤセンサー６Ｂに結像させるレンズである。
【００３２】
第１ＢＤセンサー６Ａ及び第２ＢＤセンサー６Ｂは、一の主走査ラインについて感光体ドラム１４の周面に偏向光束の照射を開始させるタイミングである書き出しタイミングの同期を取るために、前記偏向光束を検出する。第１ＢＤセンサー６Ａは、主走査ラインの走査開始側に、第２ＢＤセンサー６Ｂは、主走査ラインの走査終了側にそれぞれ配置されている。第１、第２ＢＤセンサー６Ａ、６Ｂは、フォトダイオード等からなり、光束を検知していないときはハイレベルの信号を出力し、光束がその受光面を通過している間はローレベルの信号を出力する。
【００３３】
図３に示すように、レーザー光源３０のＬＤ３１〜ＬＤ３４から４本のレーザービームＬＢ−１〜ＬＢ−４が、ポリゴンミラー４１に向けて出射される。なお、図３では、上記結像光学系の記載を省いている。ポリゴンミラー４１は、ポリゴンモーター４２によって回転軸４３の軸回りに矢印Ｒの方向に高速回転する。ポリゴンミラー４１は、６面の反射鏡面４１Ａ、４１Ｂ、４１Ｃ、４１Ｄ、４１Ｅ及び４１Ｆを有している。あるタイミングでは、４本のレーザービームＬＢ−１〜ＬＢ−４は、一つの反射鏡面（図３では反射鏡面４１Ｂ）に照射され、当該反射鏡面４１Ｂで感光体ドラム１４の周面方向に屈折反射される。ポリゴンミラー４１の回転に伴い、４本のレーザービームＬＢ−１〜ＬＢ−４は、感光体ドラム１４の周面を主走査方向Ｄ２に沿って走査する。これにより、感光体ドラム１４の周面には、４本の走査ラインＳＬが描画される。レーザービームＬＢ−１〜ＬＢ−４は、画像データに応じて変調されているので、画像データに応じた静電潜像が感光体ドラム１４の周面に形成されることになる。
【００３４】
ここで、４本のレーザービームＬＢ−１〜ＬＢ−４は、副走査方向Ｄ１（図３では感光体ドラム１４の回転方向）にレーザービームＬＢ−１、ＬＢ−２、ＬＢ−３、ＬＢ−４の順番で並べられた状態で、主走査方向Ｄ２に４本の走査ラインＳＬを描画する。これは、図４に示す通り、４個のＬＤ３１〜ＬＤ３４が一定間隔をおいて直線状に配列されているからである。従って、レーザービームＬＢ−１〜ＬＢ−４の副走査方向のビームピッチ、つまり描画する画像の解像度（ｄｐｉ）は、４個のＬＤ３１〜ＬＤ３４の配列ピッチに依存することになる。
【００３５】
上記ビームピッチは、発光部３０Ａをホルダー部材の芯回りに回転させることで調整することができる。詳しくは、発光部３０Ａの先端面Ｆの中心Ｏを通る法線Ｇを回転軸として、図中の矢印の方向に発光部３０Ａを回転させることで、４個のＬＤ３１〜ＬＤ３４の配列ピッチを見かけ上変更することができる。すなわち、法線Ｇの軸回りに時計方向に発光部３０Ａを回転させると、副走査方向のビームピッチが小さくなり、逆に、反時計方向に回転させると、副走査方向のビームピッチが大きくなる。従って、画像の設定解像度に応じたビームピッチは、発光部３０Ａの回転調整によって得ることができる。
【００３６】
図２では、図示簡略化のため、レーザー光源３０と第１、第２ＢＤセンサー６Ａ、６Ｂとは離間して描かれているが、本実施形態では、レーザー光源３０と第１、第２ＢＤセンサー６Ａ、６Ｂのいずれか（以下、ＢＤセンサー６という）とが、同一の回路基板７０に搭載される。図５〜図７は、回路基板７０へのレーザー光源３０（ブラケット３６）及びＢＤセンサー６の取り付け状態を示す図であって、図５は正面視の平面図、図６は背面視の平面図、図７は回路基板７０とブラケット３６の積層方向を側面から見た斜視図をそれぞれ示している。
【００３７】
回路基板７０は、レーザー光源３０の駆動回路及びＬＤ３１〜ＬＤ３４の発光光量制御のためのＡＰＣ（Automatic Power Control）回路等の回路部品（図示省略）が搭載されると共に、本実施形態ではブラケット３６で保持されたレーザー光源３０と、ＢＤセンサー６とが搭載される基板である。回路基板７０は、長方形の形状を有している。
【００３８】
回路基板７０の一対の長辺には、それぞれ第１、第２切り欠き部７０１、７０２が設けられている。第１切り欠き部７０１は、上側の長辺の端部付近に設けられ、概ね直角三角形の切り欠き形状を有している。第２切り欠き部７０２は、下側の長辺の中央付近に設けられ、概ね二等辺三角形の切り欠き形状を有している。また、回路基板７０の各長辺の近傍には、それぞれ第１基板ビス孔７０３及び第２基板ビス孔７０４（第２固定手段の一部／第２ビス孔）が穿孔されている。第１基板ビス孔７０３と第２基板ビス孔７０４とは、レーザー光源３０の搭載位置を挟んで、回路基板７０の略対角位置に配置されている。
【００３９】
ＢＤセンサー６は、回路基板７０の一方の短辺に近接する位置に搭載されている。第２基板ビス孔７０４は、ＢＤセンサー６が近接する短辺寄りの位置に穿孔されている。従って、ＢＤセンサー６と第２基板ビス孔７０４との間の距離Ｌは比較的短く、ＢＤセンサー６は第２基板ビス孔７０４の近傍位置に搭載されている。
【００４０】
ブラケット３６（保持部材／調整手段の一部）は、レーザー光源３０を固定的に保持する部材であり、その長手方向に第１端部３６１と第２端部３６２とを有する長方形の平板部材である。ブラケット３６の中心位置には、レーザー光源３０の発光部３０Ａにおける円柱状のプラグ部材が挿入されるホルダー部３６Ｈが穿孔されている。ホルダー部３６Ｈの内径は発光部３０Ａのプラグ部材の外径より僅かに小さく、発光部３０Ａはホルダー部３６Ｈに圧入される。この圧入によって、発光部３０Ａとブラケット３６とは一体化されている。また、ブラケット３６の第１端部３６１及び第２端部３６２の近傍には、それぞれ第１保持孔３６３及び第２保持孔３６４（第１固定手段の一部／第１ビス孔）が穿孔されている。
【００４１】
レーザー光源３０は、そのリード部３５の下端部が回路基板７０に設けられたマウント孔に挿入され、該挿入部においてハンダ付けされる態様で、回路基板７０に搭載されている。換言すると、回路基板７０とブラケット３６とは、リード部３５のみによって連結されている。リード部３５は所定の長さを有しており、図７に示すように、回路基板７０とブラケット３６との間に所定間隔Ｈが介在する状態で、発光部３０Ａは回路基板７０上に立設されている。この所定間隔Ｈは、発光部３０Ａの光軸回りの回転調整の際に、リード部３５が捻れることを許容する長さである。
【００４２】
図８は、光走査装置１１のハウジング２０に、ブラケット３６及び回路基板７０の組立体が搭載された状態を示す斜視図である。ブラケット３６及び回路基板７０は、ハウジング２０の側壁の一部を構成する取り付け板２１に、それぞれ別個に固定されている。ブラケット３６は、第１保持ビス３７１及び第２保持ビス３７２（第１固定手段の一部／第１ビス）により、取り付け板２１の所定位置（第１位置）に固定されている。また、回路基板７０は、第１基板ビス７１及び第２基板ビス７２（第２固定手段の一部／第２ビス）により、取り付け板２１の所定位置（第２位置）に固定されている。
【００４３】
詳しくは、第１保持ビス３７１は第１保持孔３６３に挿通され、また第２保持ビス３７２は第２保持孔３６４に挿通され、それぞれ取り付け板２１の第１位置に設けられたビス孔に締結されることにより、ブラケット３６が取り付け板２１（ハウジング２０）に固定される。一方、第１基板ビス７１は第１基板ビス孔７０３に挿通され、第２基板ビス７２は第２基板ビス孔７０４に挿通され、それぞれ取り付け板２１の第２位置に設けられたビス孔に締結されることにより、回路基板７０が取り付け板２１（ハウジング２０）に固定される。
【００４４】
ここで、回路基板７０がブラケット３６上を覆う態様で、両者はハウジング２０に取り付けられる。つまり、図６に示す状態で、取り付け板２１に固定される。また、ブラケット３６は、回路基板７０に対して斜めに搭載されると共に、回路基板７０とブラケット３６とは重なる方向で見て、回路基板７０の第１切り欠き部７０１からブラケット３６の第１端部３６１の一部が、第２切り欠き部７０１から第２端部３６２の一部が表出するよう搭載されている。これにより、ブラケット３６がリード部３５を回転軸として回転した場合でも、特に図６においてブラケット３６が反時計方向に回転した場合でも、第１保持孔３６３及び第２保持孔３６４は、第１切り欠き部７０１及び第２切り欠き部７０２を通して露呈する。従って、ユーザーによる第１保持ビス３７１及び第２保持ビス３７２の締結作業性を良好なものとすることができる。
【００４５】
また、ＢＤセンサー６は第２基板ビス孔７０４の近傍位置に搭載されている。つまり、ＢＤセンサー６の搭載位置の近傍が第２基板ビス７２による固定位置とされている。このため、ポリゴンミラー４１の回転駆動によって生じる振動等の影響がＢＤセンサー６に及び難くすることができる。
【００４６】
続いて、レーザー光源３０の発光部３０Ａの回転調整を伴った、ブラケット３６及び回路基板７０の組立体のハウジング２０への固定手順について説明する。まず、作業者は、図略のジグを用いて、レーザー光源３０から発せられるレーザービームＬＢ−１〜ＬＢ−４の副走査方向のビームピッチの調整を行う。前記ジグは、ハウジング２０に対してブラケット３６が正対するよう、ハウジング２０の所定の当たり面にブラケット３６を押し当てて保持するために用いされる。
【００４７】
前記ジグでブラケット３６を保持させた状態で、作業者は、発光部３０Ａが光軸（法線Ｇ）の軸回りに適宜回転するよう、ブラケット３６を回動させる。この回動の過程において、副走査方向のビームピッチが、規定された解像度（ｄｐｉ）とマッチする位置が探知される。発光部３０Ａの回転調整を終えた後、作業者は、第１保持ビス３７１及び第２保持ビス３７２によって、ブラケット３６をハウジング２０の取り付け板２１に固定する（第１固定手段による保持部材の第１位置への固定）。なお、この段階では、回路基板７０自体は取り付け板２１に直接的に固定されておらず、リード部３５を介して間接的に取り付け板２１で保持された状態である。しかも、回路基板７０とブラケット３６との間に所定間隔Ｈが存在する程度の長さをリード部３５は有しているので、回路基板７０はリード部３５の変形（捻れ）によってある程度動き得る状態である。
【００４８】
続いて作業者は、ＢＤセンサー６が所定の位置に配置されるよう、回路基板７０を位置決めする。この際、リード部３５は、ブラケット３６の回動状態、つまりは発光部３０Ａの光軸回りの回転状態に応じて捻られることになる。ＢＤセンサー６の位置合わせが行われた状態で、作業者は、第１基板ビス７１及び第２基板ビス７２によって、回路基板７０をハウジング２０の取り付け板２１に固定する（第２固定手段による回路基板の第２位置への固定）。
【００４９】
以上の通り、本実施形態によれば、ブラケット３６と共に発光部３０Ａが光軸回りに回転されたとしても、その回転はリード部３５の捻りによって吸収される。このため、副走査方向のビームピッチの調整が行われ、ブラケット３６のハウジング２０への固定が行われた後に、ＢＤセンサー６と入射光束との位置合わせを行って回路基板７０をハウジング２０に固定させることができる。従って、レーザー光源３０とＢＤセンサー６とを同一の回路基板７０に搭載した構成を採用しつつ、特殊な光学素子を必要とすることなく、発光部３０Ａの光軸回りの調整及びＢＤセンサー６への検知光束の入射の双方を確保することができる。従って、光走査装置１１及びこれが備えられた画像形成装置１の部品点数の減少、コストダウンを図ることが出来る。
【符号の説明】
【００５０】
１    画像形成装置
１１  光走査装置
１４  感光体ドラム（像担持体）
３０  レーザー光源（光源）
３１、３２、３３、３４  レーザーダイオード（複数の発光点）
３５  リード部
３６  ブラケット（保持部材）
３６３、３６４  第１、第２保持孔（第１固定手段の一部／第１ビス孔）
３６Ｈ  ホルダー部
３７１、３７２  第１、第２保持ビス（第１固定手段の一部／第１ビス）
４０  偏向体
５１  コリメータレンズ
５２  シリンドリカルレンズ
５３、５４  第１、第２走査レンズ（結像光学系）
５５  ミラー（結像光学系）
６Ａ、６Ｂ  第１、第２ＢＤセンサー（同期センサー）
７０  回路基板
７１、７２  第１、第２基板ビス（第２固定手段の一部／第２ビス）
７０１、７０２  第１、第２切り欠き部
７０３、７０４  第１、第２基板ビス孔（第２固定手段の一部／第２ビス孔）
【図１】
0005499003.tif 000002
【図２】
0005499003.tif 000003
【図３】
0005499003.tif 000004
【図４】
0005499003.tif 000005
【図５】
0005499003.tif 000006
【図６】
0005499003.tif 000007
【図７】
0005499003.tif 000008
【図８】
0005499003.tif 000009